(57)【特許請求の範囲】
【請求項１】
ケース内の略中央に、入力端子から入力された高周波信号を分岐出力する分岐回路と入出力端子間に電流通過を許容する電流通過回路とを備えたマザーボードを内蔵し、伝送ケーブルの途中に挿入接続される分岐器であって、ケースの側部に設けられたケーブル接続部と前記マザーボードの入出力端子とを電気的に接続する伝送線の中心導体端部にねじ穴を設ける一方、マザーボードにおけるねじ挿通孔の周囲にランド部を設け、前記ねじ挿通孔に挿通した導電性を有するねじを中心導体のねじ穴に螺合させ、そのねじを介して伝送線とマザーボードの入出力端子とを電気的に接続する分岐器。
【請求項２】
前記分岐器には、三回線以上のケーブル接続部が設定され、マザーボードの接続対象となる二つのケーブル接続部を、前記三回線以上のケーブル接続部の中から選択可能とした請求項１に記載の分岐器。
【請求項３】
前記伝送線が、中心導体をケースの内壁面に形成された凹溝内に、その凹溝と非接触状態で配置し、その凹溝のデッドエンド部に、マザーボードに対する接続部が組み付けられる請求項１又は２に記載の分岐器。
【発明の詳細な説明】
【０００１】
【産業上の利用分野】
本発明は分岐器、殊にＣＡＴＶ用として好適な分岐器に関する。
【０００２】
【従来の技術】
ＣＡＴＶにおいて使用される分岐器は、入出力用ケーブル接続部の位置や分岐数の違いにより複数の機種を設定しなくてはならないが、内部機構を例えば、電流通過回路を備えたマザーボードと分岐回路と分岐回路とを夫々ユニット化し、用途に応じて各ユニットを組み替えて使用目的に適合させる汎用タイプが提案されている。
一方、ＣＡＴＶの伝送ケーブルには、テレビ信号やコントロール信号などの高周波信号とともに、幹線増幅器のアンプ類動作用の電流も送り出されている。
そのため分岐器には電流通過仕様も設定さていて、電流通過仕様の場合、電流が分岐回路や分波回路内を通過させることは好ましくないから、電流通過用の専用回路をマザーボードに設け、その電流通過回路を介して入出力用ケーブル接続部間を接続する構造となっている。
そして前記入出力用ケーブル接続部に直結された伝送ケーブルとマザーボードとの接続部には、差込みタイプが採用されている。
【０００３】
【発明が解決しようとする課題】
電流通過仕様の場合、各分岐端子に送られる電流値は低いが、少なくともケーブル接続部間には幹線に流れる最大電流が通過するから、入出力用ケーブル接続部間の伝送損失を少なくすると共に、電波の特性に影響を及ぼすことを極力避けなくてはならない。
しかし接続部が差込みタイプであると、伝送損失を起こしやすいばかりか、幹線に流れる電流値が高いと発熱し、その影響でマザーボードに搭載された回路の特性を損ねることもありうる。
【０００４】
【課題を解決するための手段】
本発明は、ケース内の略中央に、入力端子から入力された高周波信号を分岐出力する分岐回路と入出力端子間に電流通過を許容する電流通過回路とを備えたマザーボードを内蔵し、伝送ケーブルの途中に挿入接続される分岐器であって、ケースの側部に設けられたケーブル接続部と前記マザーボードの入出力端子とを電気的に接続する伝送線の中心導体端部にねじ穴を設ける一方、マザーボードにおけるねじ挿通孔の周囲にランド部を設け、前記ねじ挿通孔に挿通した導電性を有するねじを中心導体のねじ穴に螺合させ、そのねじを介して伝送線とマザーボードの入出力端子とを電気的に接続すしたことにある。
そして前記分岐器には、三回線以上のケーブル接続部を設定し、マザーボードの接続対象となる二つのケーブル接続部を、前記三回線以上のケーブル接続部の中から選択可能としたり、前記伝送線を、中心導体がケースの内壁面に形成された凹溝内に、その凹溝と非接触状態で配置され、その凹溝のデッドエンド部に、マザーボードに対する接続部を組み付けることができる。
【０００５】
【実施例】
本発明に係る分岐器の実施例を、ケーブル接続部を三回線分設定し、エアリアルタイプとペデスタルタイプとの使い分けと、分岐端子の数の変更をも可能とした機種につき、図面に基づいて説明する。
図１、図２及び図３において、１は一面が開放されたアルミダイキャスト製の蓋体であり、この蓋体１はケース構成部材の一つであって、蓋体１には、片側に一回線分のケーブル接続部２が、他側に二回線分のケーブル接続部３，４が設けられ、それらのケーブル接続部２，３，４は、いずれも隅角部に位置していて、長手方向端面にはケーブル挿入用のコネクタねじ込み孔２ａ，３ａ，４ａが、又長手方向に沿った面には、ねじ締め操作用孔が夫々設けられ、それらねじ締め操作用穴は、盲ボルト２ｂ，３ｂ，４ｂによって閉塞されるようになっている。
又、蓋体１内の中央にあたる回路収容部５には、蓋体１の中心点Ｐを挟んだ上部左右の二箇所と、その二箇所のうちの右側に対して上下関係となる一箇所との計三箇所に幹線接続端子５ａ，５ｂ，５ｃが設けられており、それら幹線接続端子５ａ，５ｂ，５ｃは、前記ケーブル接続部２，３，４に対し、幹線接続端子５ａとケーブル接続部２、幹線接続端子５ｂとケーブル接続部３、幹線接続端子５ｃとケーブル接続部４とが夫々電送線６，６，６で接続されている。
【０００６】
前記電送線６は、図４のａ，ｂに示すように、蓋体１の内面に一体形成された断面半円形で、両側にシールド壁が立設されたの凹溝６ａ内に、中心導体として、真鍮や銅製の導電性ロッド６ｂを、凹溝６ａの内壁と非接触状態にて配置した同軸構造となっている。
又、前記電送線６には、断面外形が凹溝６ａに等しく、ロッド挿通孔が貫設された誘電体ブロック７が、凹溝６ａ内に、部分的且つ溝方向へ移動可能に介在されている。
このような構造の伝送線６は、ケースの内壁面に組み込まれ、中心導体としての導電性ロッド６ｂの太さに自由度を持たせることができるし、Ａ−Ａ線端面を示す図５の如く、外部導体としての凹溝６ａの内壁と導電性ロッド６ｂとの間に空気層Ｓが確保されるため、伝送損失が少なく、高い電流値に対応させることができるばかりか、誘電体ブロック７を溝方向へ移動させることによって高周波特性を変化させ、適正な高周波特性に調整できる。
この誘電体ブロック７は、ジュラコン（商品名：ポリプラスチックス株式会社製）で形成することが好ましく、前記ジュラコンと電気的特性が同様な他の合成樹脂で形成したり、設計段階で予め位置が決まっている場合は、図６に例示するように、凹溝６ａ内に複数（二個）設けたり、固定式とすることができる。
その場合、図示のように各誘電体ブロック７，７を上下二つニ分割し、上半分の２個をアーム７ａで連結し、そのアーム７ａを蓋体１にねじ止めするようにすれば、効率良く組み込むことができる。
又、導電性ロッド６ｂには、その一端の延長上に、スリット入りの割り筒８が一体的に固着されており、その割り筒８はケーブル接続部３（２，４）において、挟持ブロック９により挟持した状態で支持されている。
前記挟持ブロック９は、片側をヒンジ構造とし、分割面に割り筒保持用の保持溝９ａが形成されていて、その挟持ブロック９を、蓋体１の内面におけるケーブル接続位置に、部前記凹溝６ａと連続して形成されたブロック収納部９ｂ内に位置決めし、前記割り筒８を保持溝９ａに当てがって挟み込んで、Ｂ−Ｂ端面を示す図７の如く、側方よりねじ９ｃにより締着されるようになっている。
従って、電送ケーブルの端部に取り付けたコネクタ１０を蓋体１のコネクタねじ込み孔３ａ（２ｂ，４ｃ）にねじ込み、コネクタ１０のピン１０ａを前記割り筒８に挿し込んでねじ９ｃを締着すれば、コネクタ１０のピン１０ａと割り筒８とが挟持ブロック８にて強固且つ確実に締着結合される。
尚、前記挟持ブロック８には、ねじとの当接面に金属製の当て板８ａが取り付けられていて、挟持ブロック８の割れや変形の防止とともに、締着圧が全面に作用する働きを持っており、前記ねじ９ｃの締着操作は、盲ボルト３ｂ（２ｂ，４ｂ）を外すことによりねじ締め操作用孔を介して外部より可能となる。
【０００７】
１１はマザーボードで、裏面には前記幹線接続端子５ａ，５ｂ（５ｂ，５ｃ）の距離に相当する間隔で、入出力端子としての送電端子１２，１２が、又表面には、中継端子１３，１３が設けられ、その中継端子１３と前記送電端子１２とは、夫々コンデンサ１４ａを介在させ、高周波信号の通過を許容した高周波通過回路１４で結ばれ、更に前記送電端子１２，１２間は、コイル１５ａを介在させた電流通過回路１５により接続されている。
尚、前記電流通過回路１５はカバーで覆われている。
マザーボード１１には、蓋体１に突設されたガイドピン１６，１６・・に対応してガイド穴１７，１７・・が設けられており、前記幹線接続端子５ａ，５ｂ、５ｃが装着時に見えなくてもそのガイド穴１７に前記ガイドピン１６を夫々挿入することによって、例えば送電端子１２，１２が夫々幹線接続端子５ａ，５ｂに接続されるよう容易に位置決めすることができ、ねじ１８，１８により蓋体１に固定される。
前記マザーボード１１には、送電端子１２，１２の位置にもねじが設けられ、送電端子１２と幹線接続端子５ｂ（５ａ，５ｃ）とが圧接状態で接続される。
即ち、各幹線接続端子５ａ，５ｂ、５ｃは、前記凹溝６ａのデッドエンド部（図４参照）に、樹脂製の台座１９を設け、その台座１９の上に、ねじ穴２０が形成された導電性ロッド６ｂの端部を位置せしめ、一方マザーボード１１には、図８の如く、ねじ穴２１の周囲に第１のランド部２２を設け、導電性を有する例えば真鍮や鉄などの材質で形成されたねじ２２ａを幹線接続端子５ｂのねじ穴２０に螺合させることによって、ねじ２２ａの頭部を前記第１のランド部２２に密着させ、第１のランド部２２と導電性ロッド６ｂとを電気的に接続する。
尚幹線接続端子５ｂ（５ａ，５ｃ）は、導電性ロッド６ｂが前記図６のように、二個の誘電体ブロック７，７によって凹溝６ａ内で確実に支持されている場合は、台座を省略することもできる。
又、前記第１のランド部２２の外側には、その第１のランド部２２と絶縁され、一部が切り欠かれたリング状の第２のランド部２３が同心円上に形成され、その第２のランド部２３は、裏面に突設された接触片２３ａを介して蓋体１と電気的に接続され、幹線接続端子５ｂ（５ａ，５ｃ）は送電端子１２と同軸に接続される（図９）。
更に、マザーボード１１には、送電端子１２，１２の外側にあたる位置に、夫々スリット状の係止孔２４，２４が形成されている。
【０００８】
２５は、箱状の分岐ユニットであり、この分岐ユニット２５の片面には前記マザーボード１１の中継端子１３，１３に対応した接続端子２６，２６´が、他面には分岐端子２７が夫々設けられ、それら接続端子２６，２６´と分岐端子２７とは、内蔵された分岐回路に接続されている。
又前記分岐ユニット２５は、一方の接続端子２６が入力側、他方の接続端子２６´が出力側に設定され、高周波信号に対して方向性を有しており、その分岐ユニット２５の両側には、接続端子２６，２６´が設けられている面側に向けて係止爪２８，２８が突設されている。
そしてこの分岐ユニット２５は、前記マザーボード１１に対し、係止爪２８，２８を係止孔２４，２４に挿入することにより係止させれば、各中継端子１３，１３と接続端子２６，２６´とが接続された状態で装着される。
尚、マザーボードに対する分岐ユニットの装着手段は、案内片を係止孔に係止させたり、ねじやクリップを利用して固定する等、適宜変更して差し支えない。前記マザーボード１１にはプッシュ式のスイッチ２９が設けられており、分岐ユニット２５を装着すると、その分岐ユニット２５の外表面で押圧操作されることによってＯＦＦ作動し、分岐ユニット２５を外すことによって押圧が解除されるとＯＮ作動して両中継端子１３，１３間を短絡させ、送電端子１２，１２間に、高周波信号の通過を許容するようになっている。
前記マザーボード１１は電流通過回路１５を備えているから、分岐ユニット２５が装着されているか否かに拘らず、送電端子１２，１２には、電流と高周波信号との通過機能が確保されるのである。
【０００９】
３０はタップボードであり、このタップボード３０は、ケースを構成するもう一方の部材である本体３１の内面に組み付けられていて、分配回路と、本体表面に露出される４つの分岐出力端子として機能する分配端子３２，３２・・とを有し、内面には前記分岐ユニット２５の分岐端子２７に対応した入力端子３３を備え、又、蓋体１のケーブル接続部３ａと本体３１の分配回路との相互間には、電流の通過を許容する電流通過用接点３４，３５が設けられていると共に、その電流通過用接点３４と各分岐出力端子としての分配端子３２，３２・・との間を個々に結ぶ電流通過用回線３６がタップボード３０に組み込まれていて、本体３１を、蓋体１の開口面を覆うように取り付けることによって、入力端子３３が前記分岐端子２７に接続されると共に、電流通過用接点３４，３５同士が接続状態となり、高周波通過経路とは別に、独立した電流通過経路が形成される。
前記電流通過用接点３５は、図１０に示すように、タップボード３０のプリント基板に対し、基端部をハンダ付けすることによって起立固定され、コイルスプリング３５ａによって突出先端方向に付勢されたピンタイプであって、挿入タイプの電流通過用接点３４に対して位置ずれしている場合には、電流通過用接点３５の先端が例えば後述する保護プレート４１に当接するので、電流通過用接点３５がコイルスプリング３５ａを圧縮させて後退していて（図１１のａ）、蓋体１を本体３１に対して相対的にずらせると、そのずれ量に応じてスムーズに移動し、両接点が一致したときに、電流通過用接点３５が突出し、その電流通過用接点３５は、コイルスプリング３５ａの圧縮力によって確実に接続される（図１１のｂ）ようになっている。
又、電流通過用回線３６には、正特性サーミスタ（商品名：ポリスイッチＲＸＥ０６５・株式会社レイケム製）３７が介在され、その正特性サーミスタ３７は、各分配出力端子に対して個々に設けられると共に、電流通過用回線に接続されているコネクタ（商品名：ＶＨシリーズコネクタ・日本圧着端子株式会社製）３８に対して抜き挿し操作することにより、ワンタッチで着脱できる状態にて備えられている。
そして前記蓋体１と本体３１とは、左右の嵌合部を異なる形状にして、組み付ける場合に方向性を持たせてあり、蓋体１に突設された舌片３９を本体３１に形成された案内溝４０内に挿入させることによってのみ組み付け可能で、左右逆の場合は組み付けができず、組み付けた場合には必ず前記電流通過用接点３４，３５が接続されるようになっている。
又前記電流通過用接点３４は、ケーブル接続部３に位置する割り筒と電流通過ケーブル３４ａで接続され、通常その上面が、端子差込み孔４１ａを有した保護プレート４１で覆われており、作業中に指先等を誤って電流通過用接点３４に接触させる感電事故から守られている。
そして前記保護プレート４１は、絶縁性に優れ、且つ電流通過用接点３５の先端を当接させたままでスムーズにずらせられるよう、ＡＢＺ樹脂等の滑りやすい材料で形成されている。
【００１０】
このように形成された分岐器は、分岐ユニット２５の接続端子２６がケーブル接続部２側に、接続端子２６´がケーブル接続部３側に夫々接続されるように装着すれば、図１２のａに示す如く、ケーブル接続部２を入力端子、ケーブル接続部３を出力端子としたエアリアルタイプとして機能する。
ここで入力端子と出力端子とを逆の配置にしたい場合は、分岐ユニット２５を一旦外し、１８０度水平回転させ、中継端子１３，１３に対して接続端子２６，２６´を逆に接続するだけで簡単に変更できる（図１２のｂ）。
又、ペデスタルタイプに対応できるようにするには、マザーボード１１を一旦外し、図１２のｃの如く時計方向に９０度回転させれば、接続端子２６，２６´が送電端子１２，１２を介して夫々幹線接続端子５ｂ，５ｃに接続され、ケーブル接続部３を入力端子、ケーブル接続部４を出力端子に変更できる。
入力端子と出力端子とを逆の配置にしたい場合は、図示はしないが、前記エアリアルタイプと同様に、分岐ユニット２５を一旦外し、１８０度水平回転させて逆に接続されるよう付け替えるだけで簡単に変更できる。
更に、分岐数を変更したい場合は、タップボード３０が組み付けられた本体３１と、マザーボード１１に装着されている分岐ユニット２５とを所望の分岐数に対応した分配器が組み付けられた別の本体と分岐ユニットに交換することにより可能である。
この交換に際し、分岐ユニット２５は、係止爪２８と係止穴２４との係止を解除するだけで外すことができ、又、分岐ユニット２５を外すと、スイッチ２９がＯＮ作動して送電端子１２，１２間が短絡され、高周波信号の通過が許容されるので、ケーブル接続部間における高周波信号の伝達が途絶えることはない。
【００１１】
このように実施例の分岐器は、マザーボードを９０度回動させたり、分岐ユニットと本体とを交換するだけで、ケーブル接続部の位置や分岐数を変更できるから、操作性に優れ、一機種で複数タイプに対応できるし、分岐ユニットや本体を外しても入力側から出力側への電流や高周波信号の通過が遮断されることがなく、チェック機能が維持される。
又このとき伝送ケーブルを電話回線として使用している場合でも、電話は低周波領域をを利用しているので、電流通過用回路及び回線の使用によって通話が中断されることはない。
一方、電流通過用回線には正特性サーミスタが介在されているので、分岐端子側で短絡事故があった場合、正特性サーミスタの抵抗値が０．数Ωから数ＫΩ以上にまで増大し、伝送ケーブルに対するケーブル接続部と分岐出力端子間の電流の通過が阻止され、分岐器内の回路を保護すると共に、伝送ケーブルに接続されている機器への悪影響を阻止し、１５アンペアを通電するような大電流通過型であっても安心して採用できる。
而もその際、高周波信号の伝送回路（分岐回路）が電流通過用回線と別個独立し、且つ正特性サーミスタが個々の分岐出力端子に対して個々に介在されているので、電流の通過が阻止されても、テレビ信号が途絶えたりすることはないばかりか、短絡した分岐出力端子へのみの電力通過機能が阻止されるに留まる。
又正特性サーミスタは、各分岐端子に対して個々に、而も着脱自在に設けられているので、電話回線利用加入者の家庭に接続される特定の端子のみを電流通過タイプとし、未加入者の家庭に接続される端子に対しては、正特性サーミスタをコネクタから外し、電流の供給がされないように設定することが簡単にできるし、一見しただけで確認も容易である。
このような効果は、コネクタに対して正特性サーミスタを着脱自在とすることなく、図示はしないが、電流通過用回線にスイッチを設け、そのスイッチのＯＮ／ＯＦＦ操作で制御することによっても可能である。
【００１２】
そして各端子接続部は、二回線分のみとしたり、分岐数は、増加させるばかりでなく減少させる場合もあって、本体の分岐数はいくつでもかまわない。
又実施例は、幹線接続端子を、蓋体の中心を挟んだ上部左右の二箇所と、その二箇所のうちの片側に対して上下関係となる一箇所との計三箇所に配置し、マザーボードを回転させてそのマザーボードの送電端子に接続される幹線接続端子を選択するものであるが、対として選択される幹線接続端子を、相互の間隔が等しくなるよう配置し、マザーボードをずらせたり移動させて組み付け位置を変えることにより、接続すべき幹線接続端子と接続されるようにすることもできるし、そのようなケーブル接続部の使い分け、或は分岐端子の数の変更を要しない機種にも適用される。
マザーボードの組み付け位置を替える場合は、ねじの着脱操作によって可能であり、そのねじの締着操作で、伝送線の中心導体である金属ロッドの端部と、マザーボードの入出力端子としての送電端子とが確実に接続され、加熱の虞れはない。
【００１３】
【発明の効果】
本発明によれば、マザーボードの入出力端子と、樹脂製の台座上に位置決めされた伝送線の中心導体端部とが、ねじによって確実に接続されるから、大電流に対して充分な容量が確保され、電流通過回路を介して接続される入出力用ケーブル接続部間の伝送損失が低減され、発熱による特性への影響がなくなる。
又、複数のケーブル接続部を設定しておき、そのケーブル接続部を選択可能とすれば、エアリアルタイプとぺデスタルタイプとに使い分けできる。
更に、伝送線を、ケースの内壁面に形成された凹溝内に、その凹溝と非接触状態で配置した構造とすることで、伝送損失を極限にまで減らすことができる。
【図面の簡単な説明】
【図１】  本発明に係る分岐器の実施例を示す分解説明図である。
【図２】  各部材の平面図である。
【図３】  各部材の回路を示す説明図である。
【図４】  伝送線の説明図である。
【図５】  図４のＡ−Ａ線端面図である。
【図６】  伝送線の変更例を示す説明図である。
【図７】  図４のＢ−Ｂ線端面図である。
【図８】  幹線接続端子の説明図である。
【図９】  幹線接続端子とマザーボドとの接続部を示す説明図である。
【図１０】  電流通過用接点の説明図である。
【図１１】  電流通過用接点の動作説明図である。
【図１２】  ケーブル接続部の変更例を示す説明図である。
【符号の説明】
１・・蓋体、２，３，４・・ケーブル接続部、２ａ，３ａ，４ａ・・コネクタねじ込み孔、２ｂ，３ｂ，４ｂ・・盲ボルト、５・・回路収容部、５ａ、５ｂ，５ｃ・・幹線接続端子、６・・伝送線、６ａ・・凹溝、６ｂ・・導電性ロッド、７・・誘電体ブロック、７ａ・・アーム、８・・割り筒、８ａ・・当て板、９・・挟持ブロック、９ａ・・保持溝、９ｂ・・ブロック収納部、９ｃ・・ねじ、１０・・コネクタ、１０ａ・・ピン、１１・・マザーボード、１２・・送電端子、１３・・中継端子、１４・・高周波通過回路、１４ａ・・コンデンサ、１５・・電流通過回路、１５ａ・・コイル、１６・・ガイドピン、１７・・ガイド穴、１８・・ねじ、１９・・台座、２０・・ねじ孔、２１・・ねじ挿通孔、２２・・第１のランド部、２２ａ・・ねじ、２３・・第２のランド部、２３ａ・・接触片、２４・・係止孔、２５・・分岐ユニット、２６・・接続端子（入力側）２６´・・接続端子（出力側）、２７・・分岐端子、２８・・係止爪、２９・・スイッチ、３０・・タップボード、３１・・本体、３２・・分配端子（分岐出力端子）、３３・・入力端子、３４，３５・・電流通過用接点、３４ａ・・電流通過ケーブル、３５ａ・・コイルスプリング、３６・・電流通過用回線、３７・・正特性サーミスタ、３８・・コネクタ、３９・・舌片、４０・・案内溝、４１・・保護プレート、４１ａ・・端子差込み孔、Ｐ・・中心点、Ｓ・・空気層。
【図１】
0003677097.tif 000002
【図２】
0003677097.tif 000003
【図３】
0003677097.tif 000004
【図４】
0003677097.tif 000005
【図５】
0003677097.tif 000006
【図６】
0003677097.tif 000007
【図７】
0003677097.tif 000008
【図８】
0003677097.tif 000009
【図９】
0003677097.tif 000010
【図１０】
0003677097.tif 000011
【図１１】
0003677097.tif 000012
【図１２】
0003677097.tif 000013